(57)【要約】【課題】無線制御装置の同期窓の手動による設定調整作業を不要とする同期窓自動設定方法を提供する。【解決手段】無線制御装置101と無線装置102との間をCPRI規格準拠のハイパー・フレームを用いて信号を送受信する無線通信システムにおいて、無線制御装置101は、各種機能部105を備え、無線装置102との間の信号の同期が確立したことを検出した際に、無線装置102からの信号を受信するための同期窓の設定動作を自動的に開始し、その同期が外れたことを検出した際に、同期窓の設定動作を解除する。無線制御装置101は、無線装置102から受信するハイパー・フレームを構成する複数のチップのうち第１番目のチップの先頭に位置する制御ワードに同期ワードを示すコードが設定されていることを、予め定めた周期で検出した際に、無線装置102との間の同期が確立したものと判定する。【選択図】        図１
2014096633.tif 000002
【特許請求の範囲】
【請求項１】
無線制御装置と無線装置との間をＣＰＲＩ（Common  Public  Radio  Interface）規格に準拠したハイパー・フレームを用いて信号の送受信を行う無線通信システムにおいて前記無線装置からの信号を受信するための前記無線制御装置の同期窓を自動的に設定する同期窓自動設定方法であって、前記無線制御装置は、前記無線装置との間の信号の同期が確立したことを検出した際に、前記同期窓の設定動作を自動的に開始し、前記無線装置との間の信号の同期が外れたことを検出した際に、前記同期窓の設定動作を解除することを特徴とする同期窓自動設定方法。
【請求項２】
前記無線制御装置は、前記無線装置から受信する前記ハイパー・フレームを構成する複数のチップのうち、第１番目のチップの先頭に位置する制御ワードに同期ワードを示すコードが設定されていることを、あらかじめ定めた周期で検出した際に、前記無線装置との間の同期が確立したものとして、前記同期窓の設定動作を開始することを特徴とする請求項１に記載の同期窓自動設定方法。
【請求項３】
前記同期窓の設定動作を開始した前記無線制御装置は、前記無線装置から連続して受信した複数の前記ハイパー・フレームの中から、前記ハイパー・フレームそれぞれを構成する複数のチップ内のあらかじめ定めた位置に設定されているハイパー・フレーム番号を検索し、連続して受信した複数の前記ハイパー・フレームそれぞれの前記ハイパー・フレーム番号に飛びや抜けがあった場合には、前記ハイパー・フレーム番号が異常であるものとして、前記同期窓の設定動作を終了し、一方、前記ハイパー・フレーム番号に飛びや抜けがない正常な状態であった場合には、前記ハイパー・フレーム番号が'０ｘ０'のハイパー・フレームを検出する動作を行うことを請求項２に記載の同期窓自動設定方法。
【請求項４】
前記ハイパー・フレーム番号が'０ｘ０'のハイパー・フレームを検出した前記無線制御装置は、前記ハイパー・フレーム番号が'０ｘ０'のハイパー・フレーム内の第１番目のチップの制御ワードに設定されている同期ワードの位置と、前記無線装置との間の前記ハイパー・フレームのフレーム同期用としてあらかじめ定めた周期で再生された無線フレーム同期パルスと、の間の時間を測定し、測定した該時間を、前記無線フレーム同期パルス間においてカウントしたサンプル数に換算して、換算した前記サンプル数に基づいて、前記同期窓の設定位置を調整することを特徴とする請求項３に記載の同期窓自動設定方法。
【請求項５】
換算した前記サンプル数に基づいて、前記同期窓の設定位置を調整する際に、前記無線通信システムの通信モードが２．４Ｇｂ／ｓモードの場合には、前記同期窓の設定位置を調整するための設定値１単位当たり１サンプルとし、前記無線通信システムの通信モードが４．９Ｇｂ／ｓモードの場合には、前記同期窓の設定位置を調整するための設定値１単位当たり２サンプルとして、前記同期窓の設定位置を調整することを特徴とする請求項４に記載の同期窓自動設定方法。
【請求項６】
前記同期窓の設定位置を調整した前記無線制御装置は、設定位置を調整した前記同期窓内に、前記ハイパー・フレーム番号が'０ｘ０'のハイパー・フレーム内の第１番目のチップの制御ワードに設定されている同期ワードを検出することができた場合に、前記ハイパー・フレーム番号が'０ｘ０'のハイパー・フレーム内の第１番目のチップの制御ワードに設定されている同期ワードが前記同期窓の中心位置に位置するように、前記同期窓の設定位置を設定することを特徴とする請求項５に記載の同期窓自動設定方法。
【請求項７】
前記同期窓の設定位置を調整した前記無線制御装置は、設定位置を調整した前記同期窓内に、前記ハイパー・フレーム番号が'０ｘ０'のハイパー・フレーム内の第１番目のチップの制御ワードに設定されている同期ワードを検出することができなかった場合は、前記同期窓内に、前記ハイパー・フレーム番号が'０ｘ０'のハイパー・フレーム内の第１番目のチップの制御ワードに設定されている同期ワードを検出するまで、前記時間の測定と、測定した該時間の前記サンプル数への換算結果に基づく前記同期窓の設定位置の調整動作を繰り返すことを特徴とする請求項５に記載の同期窓自動設定方法。
【請求項８】
無線制御装置と無線装置との間をＣＰＲＩ（Common  Public  Radio  Interface）規格に準拠したハイパー・フレームを用いて信号の送受信を行う無線通信システムにおいて、前記無線制御装置は、前記無線装置との間の信号の同期が確立したことを検出した際に、前記無線装置からの信号を受信するための同期窓の設定動作を自動的に開始し、前記無線装置との間の信号の同期が外れたことを検出した際に、前記同期窓の設定動作を解除することを特徴とする無線通信システム。
【請求項９】
無線装置との間でＣＰＲＩ（Common  Public  Radio  Interface）規格に準拠したハイパー・フレームを用いて信号の送受信を行う無線制御装置であって、前記無線装置との間の信号の同期が確立したことを検出した際に、前記無線装置からの信号を受信するための同期窓の設定動作を自動的に開始し、前記無線装置との間の信号の同期が外れたことを検出した際に、前記同期窓の設定動作を解除することを特徴とする無線制御装置。
【請求項１０】
請求項１ないし７のいずれかに記載の同期窓自動設定方法を、コンピュータによって実行可能なプログラムとして実施していることを特徴とする同期窓自動設定プログラム。
【発明の詳細な説明】
【技術分野】
【０００１】
本発明は、同期窓自動設定方法、無線通信システム、無線制御装置および同期窓自動設定プログラムに関し、特に、無線制御装置（ＲＥＣ：Radio  Equipment  Control）と無線装置（ＲＥ：Radio  Equipment）との間のＣＰＲＩ（Common  Public  Radio  Interface）インタフェースの同期窓を自動的に設定する同期窓自動設定方法、無線通信システム、無線制御装置および同期窓自動設定プログラムに関する。
【背景技術】
【０００２】
無線制御装置（ＲＥＣ：Radio  Equipment  Control、以下'ＲＥＣ'と略記する場合がある）と無線装置（ＲＥ：Radio  Equipment、以下'ＲＥ'と略記する場合がある）との間の通信インタフェースは、ＣＰＲＩ（Common  Public  Radio  Interface）規格として制定されている。ＣＰＲＩ規格において、ＲＥからＲＥＣへの無線上り信号は、ハイパー・フレーム（Hyper  Frame）番号'０ｘ０'のハイパー・フレーム（ＣＰＲＩフレーム）から、ＲＥにおいて信号遅延を生じる時間分（アンテナからＲＥを通ってＲＥＣへ届くまでの遅延量）だけ遅れて、無線フレームの先頭を示す信号パルスが入ってくる。ＲＥＣ側では、その先頭の信号パルスの位置を監視して検出するようにしている。
【０００３】
特許文献１の特開２０１１−１３０１７９号公報「中継装置」や特許文献２の特開２０１１−１３０１８２号公報「無線基地局システムおよび中継装置」には、ＣＰＲＩ規格に準拠したＲＥＣ−ＲＥ間のインタフェース（Ｉ／Ｆ：Interface）に関する技術が開示されており、かつ、同じＲＥＣであっても、第３世代無線通信方式（３Ｇ）とＬＴＥ（Long  Term  Evolution）との双方の信号を併せて中継させる技術が提案されている。
【先行技術文献】
【特許文献】
【０００４】
【特許文献１】特開２０１１−１３０１７９号公報（第４−８頁）
【特許文献２】特開２０１１−１３０１８２号公報（第５−８頁）
【発明の開示】
【発明が解決しようとする課題】
【０００５】
前述のように、ハイパー・フレーム番号'０ｘ０'（ＨＦＮ＝０ｘ０）のＣＰＲＩ受信フレームの先頭と無線フレームの同期用として１０ｍｓ周期で外部から送信されてくる無線フレーム同期パルス（ＭＦパルス）との間には、ＲＥ側の回路構成の如何に応じた固定の遅延量が存在するため、ＲＥＣ側としては、２５６チップ（chip）／ハイパー・フレーム×１５０ハイパー・フレーム（＝１０ｍｓ）からなるＣＰＲＩフレームの中から、ハイパー・フレーム番号が'０ｘ０'（ＨＦＮ＝０ｘ０）のハイパー・フレームの先頭を見つけ出す必要がある。
【０００６】
このため、前記特許文献１や前記特許文献２に記載のような従来の技術においては、まず、ＲＥＣ側のシリアル・パラレル相互変換回路（SerDes：Serializar／Deserializer）にて変換した後の回路にて、ロジックアナライザによってデシリアライズした後のＣＰＲＩ信号をモニタして、手動で、ハイパー・フレーム番号が'０ｘ０'（ＨＦＮ＝０ｘ０）のハイパー・フレームを探し出して、探し出した該ハイパー・フレームの先頭に同期ワード（Sync  Word）として位置する'０ｘＢＣ５０'（すなわちＫ２８．５（０ｘＢＣ）／Ｄ１６．２（０ｘ５０）コード）を検索し、無線フレーム同期パルス（ＭＦパルス）から該同期ワード'０ｘＢＣ５０'（Ｋ２８．５／Ｄ１６．２コード）までの固定遅延時間を測定する。
【０００７】
しかる後、測定した固定遅延時間をサンプル数＠ＭＦパルス幅（ＭＦパルス幅当たりのサンプル数のカウント値）に置き換えて、処理装置ＣＰＵ（Central  Processing  Unit）に入力することにより、同期窓の設定位置を調整し、ハイパー・フレーム番号が'０ｘ０'（ＨＦＮ＝０ｘ０）の同期ワード'０ｘＢＣ５０'（Ｋ２８．５／Ｄ１６．２コード）が同期窓内に入力されてくる状態になったか否かを人手で確認しながら、最終的に、同期窓の固定幅の中心位置に同期ワード'０ｘＢＣ５０'（Ｋ２８．５／Ｄ１６．２コード）を合わせ込むことが必要であった。
【０００８】
また、ＲＥ側の回路のバージョン（Version）変更に伴ってＲＥＣへの送出タイミングに微妙な変化が生じた場合には、その都度、ＲＥＣ側で前述のような人手を介した手動による同期窓の設定位置の調整を実施しなければならなかった。
【０００９】
（本発明の目的）
本発明は、かかる問題に鑑みてなされたものであり、ＲＥＣの同期窓の設定動作を自動化し、手動による同期窓の設定調整作業を不要とする同期窓自動設定方法、無線通信システム、無線制御装置および同期窓自動設定プログラムを提供することにある。
【課題を解決するための手段】
【００１０】
前述の課題を解決するため、本発明による同期窓自動設定方法、無線通信システム、無線制御装置および同期窓自動設定プログラムは、主に、次のような特徴的な構成を採用している。
【００１１】
（１）本発明による同期窓自動設定方法は、無線制御装置と無線装置との間をＣＰＲＩ（Common  Public  Radio  Interface）規格に準拠したハイパー・フレームを用いて信号の送受信を行う無線通信システムにおいて前記無線装置からの信号を受信するための前記無線制御装置の同期窓を自動的に設定する同期窓自動設定方法であって、前記無線制御装置は、前記無線装置との間の信号の同期が確立したことを検出した際に、前記同期窓の設定動作を自動的に開始し、前記無線装置との間の信号の同期が外れたことを検出した際に、前記同期窓の設定動作を解除することを特徴とする。
【００１２】
（２）本発明による無線通信システムは、無線制御装置と無線装置との間をＣＰＲＩ（Common  Public  Radio  Interface）規格に準拠したハイパー・フレームを用いて信号の送受信を行う無線通信システムにおいて、前記無線制御装置は、前記無線装置との間の信号の同期が確立したことを検出した際に、前記無線装置からの信号を受信するための同期窓の設定動作を自動的に開始し、前記無線装置との間の信号の同期が外れたことを検出した際に、前記同期窓の設定動作を解除することを特徴とする。
【００１３】
（３）本発明による無線制御装置は、無線装置との間でＣＰＲＩ（Common  Public  Radio  Interface）規格に準拠したハイパー・フレームを用いて信号の送受信を行う無線制御装置であって、前記無線装置との間の信号の同期が確立したことを検出した際に、前記無線装置からの信号を受信するための同期窓の設定動作を自動的に開始し、前記無線装置との間の信号の同期が外れたことを検出した際に、前記同期窓の設定動作を解除することを特徴とする。
【００１４】
（４）本発明による同期窓自動設定プログラムは、少なくとも前記（１）に記載の同期窓自動設定方法を、コンピュータによって実行可能なプログラムとして実施していることを特徴とする。
【発明の効果】
【００１５】
本発明の同期窓自動設定方法、無線通信システム、無線制御装置および同期窓自動設定プログラムによれば、以下のような効果を奏することができる。
【００１６】
無線制御装置（ＲＥＣ）−無線装置（ＲＥ）間の信号の同期（ＣＰＲＩ同期）さえ取れている状態になっていれば、ＲＥＣ側の同期窓の設定まで自動的に実施されるので、たとえ、ＲＥ側の回路が変わったとしても、手動によって同期窓の位置の設定に関する時間関係の測定や同期窓の設定位置の調整を実施する必要がない。
【００１７】
すなわち、無線フレーム同期パルス（ＭＦパルス）からハイパー・フレーム番号が'０ｘ０'（ＨＦＮ＝０ｘ０）のハイパー・フレーム（ＣＰＲＩフレーム）の先頭に位置する同期ワード（ＨＦＮ＝０ｘ０のハイパー・フレームにおいて'０ｘＢＣ５０'（Ｋ２８．５／Ｄ１６．２コード）を有する制御ワード）までの時間測定を、自動的に実施することによって、ＲＥＣ内の受信側回路にて、ロジックアナライザによってモニタしながら手動で測定する必要がなくなる。
【００１８】
また、時間測定結果からサンプル数＠ＭＦパルス幅（ＭＦパルス幅当たりのサンプル数のカウント値）を割り出して、同期窓の位置を自動的に設定することによって、同期窓の位置設定を手動により行う必要もなくなる。
【００１９】
さらに、ハイパー・フレーム番号が'０ｘ０'（ＨＦＮ＝０ｘ０）のハイパー・フレームの先頭に位置する同期ワード（ＨＦＮ＝０ｘ０のハイパー・フレームにおいて'０ｘＢＣ５０'（Ｋ２８．５／Ｄ１６．２コード）を有する制御ワード）が同期窓に入力可能な状態になった際に、該同期ワードが同期窓の固定幅の中心位置に入力されるように自動的に設定することによって、手動操作により、パラメータ振りして、同期窓の設定位置の上限値、下限値を求め、求めた上限値、下限値から中心位置を人手によって見つけ出す必要もなくなる。
【図面の簡単な説明】
【００２０】
【図１】本発明における無線通信システムのシステム構成の一例を説明するためのシステム構成図である。
【図２】図１の無線通信システムのＲＥＣ−ＲＥ間のＣＰＲＩインタフェース上を送受信するＣＰＲＩフレームのフレームフォーマットを示すフレーム構成図である。
【図３】図２のＣＰＲＩフレームの各ハイパー・フレームを構成する２５６個のチップそれぞれに含まれている制御ワードを抜き出したフレーム制御ワードのフォーマットを示すテーブルである。
【図４】図１の無線通信システムのＲＥＣ内に備えられる各種機能部の内部構成の一例を示すブロック構成図である。
【図５】図１ないし図４に示した無線通信システムにおける動作の一例を説明するためのフローチャートである。
【図６】無線フレーム同期パルス（ＭＦパルス）からハイパー・フレーム番号が'０ｘ０'（ＨＦＮ＝０ｘ０）のハイパー・フレーム（ＣＰＲＩフレーム）の先頭に同期ワード（Sync  Word）として位置する制御ワードまでの時間を測定する測定方法の一例を説明するためのタイムチャートである。
【図７】ハイパー・フレーム番号が'０ｘ０'（ＨＦＮ＝０ｘ０）のハイパー・フレーム（ＣＰＲＩフレーム）の先頭に同期ワード（Sync  Word）として位置する制御ワードが、同期窓の中心位置に入力されるように、同期窓中心設定部にて同期窓の位置を設定する方法の一例を説明するためのタイムチャートである。
【発明を実施するための形態】
【００２１】
以下、本発明による同期窓自動設定方法、無線通信システム、無線制御装置および同期窓自動設定プログラムの好適な実施形態について添付図を参照して説明する。なお、以下の説明においては、本発明による同期窓自動設定方法、無線通信システムおよび無線制御装置について説明するが、かかる同期窓自動設定方法をコンピュータにより実行可能な同期窓自動設定プログラムとして実施するようにしても良いし、あるいは、同期窓自動設定プログラムをコンピュータにより読み取り可能な記録媒体に記録するようにしても良いことは言うまでもない。
【００２２】
（本発明の特徴）
本発明の実施形態の説明に先立って、本発明の特徴についてその概要をまず説明する。本発明は、無線制御装置（ＲＥＣ：Radio  Equipment  Control、以下'ＲＥＣ'と略記する場合がある）と無線装置（ＲＥ：Radio  Equipment、以下'ＲＥ'と略記する場合がある）との間の信号同期すなわちＣＰＲＩ（Common  Public  Radio  Interface）同期が取れた際にＲＥＣ側の同期窓の設定まで自動的に実施する機能を備えることを主要な特徴としており、而して、たとえ、ＲＥ側の回路が変わったとしても、その都度、手動による調整を行う必要はなく、同期窓設定までの一連の調整動作を、自動的に実施することができる。
【００２３】
つまり、ＲＥＣが外部から１０ｍｓ周期で送信されてくる無線フレーム同期用のパルスを受信してＣＰＲＩフレームに同期した無線フレーム同期パルス（ＭＦパルス（Multi−Frameパルス）以下、ＭＦパルスと略記する場合がある）として再生することが可能な状態にあって、かつ、ＲＥＣがＲＥからハイパー・フレーム番号（ＨＦＮ）が正しい順番に付与されたＣＰＲＩフレームの各ハイパー・フレームを受信することが可能な状態にある場合において、ＲＥＣとＲＥとの間のＣＰＲＩ同期が非同期状態から同期状態になった際に、外部から受信した無線フレーム同期用のパルスを再生したＭＦパルスとＣＰＲＩフレームの各ハイパー・フレームに付されているハイパー・フレーム番号（ＨＦＮ）とに基づいて、同期窓の設定を自動的に実施する機能を備えていることを主要な特徴としている。
【００２４】
また、１０ｍｓ周期で送信されてくる無線フレーム同期パルス（ＭＦパルス）からハイパー・フレーム番号が'０ｘ０'（ＨＦＮ＝０ｘ０）の同期ワード'０ｘＢＣ５０'（Ｋ２８．５／Ｄ１６．２コード）の位置までの固定遅延時間の測定をハードウェア的に自動的に実施することを可能にしており、而して、ＲＥＣ側の受信側回路にて、従来技術のようなロジックアナライザによるモニタを行わなくても、前記固定遅延時間の測定を行うことが可能である。
【００２５】
また、前記固定遅延時間の測定結果から、サンプル数＠ＭＦパルス幅（ＭＦパルス幅当たりのサンプル数のカウント値）を割り出し、ハードウェア的に自動的に同期窓の設定を行うことによって、ＣＰＵ（Central  Processing  Unit）に接続された入力装置等を人手により操作して、わざわざ、同期窓の設定位置を調整しなくても、同期窓の中にハイパー・フレーム番号が'０ｘ０'（ＨＦＮ＝０ｘ０）の同期ワード'０ｘＢＣ５０'（Ｋ２８．５／Ｄ１６．２コード）を入力することができるように自動的に同期窓の設置位置を調整することを可能にしている。
【００２６】
さらに、同期窓の中にハイパー・フレーム番号が'０ｘ０'（ＨＦＮ＝０ｘ０）の同期ワード'０ｘＢＣ５０'（Ｋ２８．５／Ｄ１６．２コード）を入力することができる状態になったら、同期窓の固定幅の中心位置に該同期ワードが位置するように自動的に同期窓を設定することも可能としており、而して、ＣＰＵに接続された入力装置等を人手により操作して、わざわざ、パラメータ振りを行って、同期窓の設定位置の上限値、下限値を求め、求めた上限値、下限値から中心位置を見つけ出す必要もない。
【００２７】
（本発明の実施形態）
本発明においては、前述したように、以下の（１）〜（３）を実施した場合に、同期窓の自動的な設定動作が有効となる。
（１）ＲＥＣ−ＲＥ間のＣＰＲＩのフレーム同期が非同期状態から同期状態に切り替わっている場合。
（２）ＲＥからのＣＰＲＩフレームに正しい順番でハイパー・フレーム番号（ＨＦＮ）が設定されている場合。
（３）ＲＥＣが外部から無線フレームの同期用のパルスとして１０ｍｓ周期で送信されてくる無線フレーム同期パルス（ＭＦパルス）を正しく受信することができている場合。
【００２８】
（実施形態の構成例）
次に、本発明の実施形態の構成例について、図１ないし図４を用いて詳細に説明する。図１は、本発明における無線通信システムのシステム構成の一例を説明するためのシステム構成図である。
【００２９】
図１に示すように、本発明による無線通信システムは、無線制御装置（ＲＥＣ：Radio  Equipment  Control、以下'ＲＥＣ'と略記する）１０１と無線装置（ＲＥ：Radio  Equipment、以下'ＲＥ'と略記する）１０２とから構成されており、ＲＥＣ１０１とＲＥ１０２との間は、ＣＰＲＩ（Common  Public  Radio  Interface）規格に準拠したＣＰＲＩインタフェース１０３を用いて接続されている。ここで、ＲＥＣ１０１−ＲＥ１０２との間の接続の物理的なインタフェース（Ｉ／Ｆ）は、光Ｉ／Ｆであっても電気Ｉ／Ｆであっても構わない。
【００３０】
また、ＲＥＣ１０１は、ＣＰＲＩインタフェース１０３を介してＲＥ１０２から高速のシリアル信号形式によって送信されてくるＣＰＲＩフレームをパラレル信号形式にデシリアライズするシリアル・パラレル相互変換部（SerDes：Serializar／Deserializer、以下'SerDes部'と略記する）１０４を備えている。また、SerDes部１０４の内部側には、以降で説明する各種機能部１０５が接続されている。
【００３１】
図２は、図１の無線通信システムのＲＥＣ１０１−ＲＥ１０２間のＣＰＲＩインタフェース１０３上を送受信するＣＰＲＩフレームのフレームフォーマットを示すフレーム構成図である。図２に示すように、ＣＰＲＩフレーム２０１の各チップ（chip）２０３は、３２オクテット（１オクテット当たり１／１２２．８８ＭＨｚ）の信号から構成されて、１／３．８４ＭＨｚの周期で送受信されるが、先頭部分の２オクテットには、制御ワード（Control  Word）２０２が設定される。また、ＣＰＲＩフレーム２０１は、連続する複数（１５０個）のハイパー・フレーム（Hyper  Frame）２０４から構成されており、ハイパー・フレーム２０４は、２５６個のチップ２０３により構成され、６６．６６６７μｓ（＝２５６×（１／３．８４ＭＨｚ））の時間幅を有している。
【００３２】
図３は、図２のＣＰＲＩフレーム２０１の各ハイパー・フレーム２０４を構成する２５６個のチップ２０３それぞれに含まれている制御ワード２０２を抜き出したフレーム制御ワードのフォーマットを示すテーブルであり、ｘ＝０〜２５５の各行には、第０番目のチップ２０３から第２５５番目のチップ２０３それぞれの２オクテットの制御ワード２０２を示し、Ｙ＝０、Ｙ＝１の各列には、それぞれ、第１制御ワード、第２制御ワードを示している。図３に示すように、２５６個のチップ２０３の各制御ワード２０２からなるフレーム制御ワード３０１は、第０番目のチップ２０３には、同期ワード（Sync  Word）３０３であることを示すＫ２８．５／Ｄ１６．２コード（０ｘＢＣ５０）が設定され、第６４番目のチップ２０３には、ハイパー・フレーム番号（ＨＦＮ）３０２が設定される。
【００３３】
図４は、図１の無線通信システムのＲＥＣ１０１内に備えられる各種機能部１０５の内部構成の一例を示すブロック構成図であり、ＣＰＲＩインタフェース１０３からの信号をデシリアライズするSerDes部１０４の内側に接続される各種の機能部を示している。図４に示すように、各種機能部１０５は、ＣＰＲＩフレーム同期検出部４０１、ＨＦＮスキャン部４０２、ＨＦＮ異常検出部４０３、ＨＦＮ＝０ｘ０検出部４０４、ＭＦ再生部４０５、同期窓部４０６、同期窓設定機能部４０７、ＭＦ〜０ｘＢＣ５０（ＨＦＮ＝０ｘ０）間時間測定＆調整部４０８、同期窓内０ｘＢＣ５０（ＨＦＮ＝０ｘ０）検出部４０９、および、同期窓中心設定部４１０を少なくとも含んで構成されている。
【００３４】
図４の各種機能部１０５において、ＣＰＲＩフレーム同期検出部４０１は、受信回路側でＣＰＲＩフレームの同期／非同期を検出する機能部である。ＨＦＮスキャン部４０２は、ハイパー・フレーム２０４を構成する２５６個のチップ２０３の各制御ワード２０２の集合体であるフレーム制御ワード３０１の中から、第６４番目のチップ２０３の制御ワード２０２にハイパー・フレーム番号３０２が存在するか否かをスキャンする機能部である。
【００３５】
また、ＨＦＮ異常検出部４０３は、ＨＦＮスキャン部４０２によって検出されたハイパー・フレーム番号３０２に異常があるか否かを検出する機能部である。ＨＦＮ＝０ｘ０検出部４０４は、ハイパー・フレーム番号が'０ｘ０'（ＨＦＮ＝０ｘ０）のハイパー・フレームを検出する機能部である。
【００３６】
また、ＭＦ再生部４０５は、１０ｍｓ周期で外部から送信されてくる無線フレーム同期用のパルスを、ＣＰＲＩフレームに同期した１０ｍｓ周期の"Ｈ"パルスとして再生し、再生した"Ｈ"パルスを無線フレーム同期パルス（ＭＦパルス）としてＲＥＣ１０１内部の他の機能部に供給する機能部である。同期窓部４０６は、同期ワード（Sync  Word）である'０ｘＢＣ５０'（Ｋ２８．５／Ｄ１６．２コード）が入力されてくることによって、無線フレームの先頭を確定することができ、リタイミングを行うことができるようにする機能部である。同期窓設定機能部４０７は、同期窓の中に同期ワード（Sync  Word）である'０ｘＢＣ５０'（Ｋ２８．５／Ｄ１６．２コード）が入力されるように、同期窓の位置の設定を行う機能部である。
【００３７】
また、ＭＦ〜０ｘＢＣ５０（Ｋ２８．５／Ｄ１６．２コード）（ＨＦＮ＝０ｘ０）間時間測定＆調整部４０８は、ＭＦ再生部４０５より供給されてくる無線フレーム同期パルス（ＭＦパルス）からハイパー・フレーム番号が'０ｘ０'（ＨＦＮ＝０ｘ０）のＣＰＲＩフレームの先頭に位置する制御ワード２０２の同期ワード（'０ｘＢＣ５０'（Ｋ２８．５／Ｄ１６．２コード））までの時間を測定し、同期窓にハイパー・フレーム番号が'０ｘ０'（ＨＦＮ＝０ｘ０）のＣＰＲＩフレームの先頭に位置する制御ワード２０２の同期ワード（'０ｘＢＣ５０'（Ｋ２８．５／Ｄ１６．２コード））が入力されるように同期窓の位置を調整する機能部である。
【００３８】
また、同期窓内０ｘＢＣ５０（Ｋ２８．５／Ｄ１６．２コード）（ＨＦＮ＝０ｘ０）検出部４０９は、同期窓内にハイパー・フレーム番号が'０ｘ０'（ＨＦＮ＝０ｘ０）のハイパー・フレームの先頭に位置する制御ワード２０２の同期ワード（'０ｘＢＣ５０'（Ｋ２８．５／Ｄ１６．２コード））を検出することができるか否かを判別する機能部である。同期窓中心設定部４１０は、あらかじめ定めた値に設定されている同期窓の固定幅の中心位置にハイパー・フレーム番号が'０ｘ０'（ＨＦＮ＝０ｘ０）のＣＰＲＩフレームの先頭に位置する制御ワード２０２の同期ワード（'０ｘＢＣ５０'（Ｋ２８．５／Ｄ１６．２コード））が入力されてくるように同期窓の設定位置を調整する機能部である。
【００３９】
以上のような機能を有する各種機能部１０５を、ＲＥＣ１０１内に備えることによって、ＲＥＣ１０１は、外部から１０ｍｓ周期の無線フレーム同期用のパルスを受信してＣＰＲＩフレームに同期した無線フレーム同期パルス（ＭＦパルス）として再生することが可能な状態にあって、かつ、ＲＥＣ１０１がＲＥ１０２からハイパー・フレーム番号（ＨＦＮ）が正しい順番に付与されたＣＰＲＩフレームを受信することが可能な状態にある場合において、ＲＥＣ１０１とＲＥ１０２との間のＣＰＲＩ同期が非同期状態から同期状態になったことを検出した際に、受信したＭＦパルスとＣＰＲＩフレームに付されているハイパー・フレーム番号（ＨＦＮ）とに基づいて、同期窓の設定を自動的に実施することが可能になる。
【００４０】
（実施形態の動作の説明）
次に、図１ないし図４に本発明の実施形態の一例として示した無線通信システムにおける動作についてその一例を、図５のフローチャートを参照しながら詳細に説明する。図５は、図１ないし図４に示した無線通信システムにおける動作の一例を説明するためのフローチャートであり、特に、図４に示したＲＥＣ１０１の各種機能部１０５の動作に着目して示している。また、図５のフローチャートの最初のステップＳ５０１に示すように、ＲＥＣ１０１は、ＲＥ１０２との間で同期が確立した際に、同期窓の設定動作を自動的に開始し、ＲＥ１０２との間の同期が外れて、非同期状態になった場合には、同期窓の設定動作を解除し、同期が確立するまで同期窓の設定動作を待ち合わせる。
【００４１】
まず、SerDes部（１０４）からデシリアライズされた信号が入力されてくると、ＣＰＲＩフレーム同期検出部４０１においてＣＰＲＩフレームの同期検出を行う（ステップＳ５０１）。６６．６６６７μｓ周期で繰り返し入力されてくる各ハイパー・フレーム２０４の第０番目のチップ２０３の制御ワード２０２に、同期ワード（Sync  Word）３０３を示す'０ｘＢＣ５０'（Ｋ２８．５／Ｄ１６．２コード）が設定されていれば、同期状態として検出し、それ以外のコードが設定されている場合には、非同期状態として検出する。非同期状態となった場合には（ステップＳ５０１の「非同期」の場合）、ステップＳ５０１に復帰して、同期状態が検出されるまで、同期窓の設定動作に移行することなく、同期検出動作を繰り返す。
【００４２】
同期状態が検出された場合には（ステップＳ５０１の「同期」の場合）、ＨＦＮスキャン部４０２において、同期状態にあるハイパー・フレーム２０４の中から、第６４番目のチップ２０３の制御ワード２０２に、ハイパー・フレーム番号（ＨＦＮ）３０２が存在するか否かをスキャンする（ステップＳ５０２）。
【００４３】
第６４番目のチップ２０３の制御ワード２０２にはハイパー・フレーム番号（ＨＦＮ）３０２が存在していなかった場合には（ステップＳ５０２の「不在」の場合）、ステップＳ５０１に復帰して、同期状態を検出する動作を繰り返す。一方、ハイパー・フレーム番号（ＨＦＮ）３０２が存在していた場合には（ステップＳ５０２の「存在」の場合）、次に、受け取ったハイパー・フレーム２０４内に存在しているハイパー・フレーム番号（ＨＦＮ）を順番に０ｘ０から０ｘ９５までスキャンして、ハイパー・フレーム番号（ＨＦＮ）に異常があるか否かをＨＦＮ異常検出部４０３にてチェックする（ステップＳ５０３）。
【００４４】
ハイパー・フレーム番号（ＨＦＮ）が、…、例えば、０ｘ９５，０ｘ０，０ｘ１，０ｘ２，０ｘ６，０ｘ７、…、のように、０×２から０ｘ６まで一気に飛び越したような飛びや、あるいは、…、０ｘ９５，０ｘ０，０ｘ１，０ｘ２，０ｘ４，０ｘ５、…、のように、０ｘ２から０ｘ４へと０ｘ３の抜けがあった場合には（ステップＳ５０３の「飛びまたは抜け有り」の場合）、ハイパー・フレーム番号（ＨＦＮ）に異常が検出されたものとして、同期窓の設定処理を終了する。一方、ハイパー・フレーム番号（ＨＦＮ）に飛びや抜けがなかった場合には（ステップＳ５０３の「飛び＆抜け無し」の場合）、次に、ＨＦＮ＝０ｘ０検出部４０４にて、受け取ったハイパー・フレーム２０４の中からハイパー・フレーム番号が'０ｘ０'（ＨＦＮ＝０ｘ０）のハイパー・フレームを検出する（ステップＳ５０４）。
【００４５】
ハイパー・フレームの先頭である第０番目のチップ２０３の制御ワード２０２に同期ワード（Sync  Word）として設定されている'０ｘＢＣ５０'（Ｋ２８．５／Ｄ１６．２コード）から数えて第６４番目のチップ２０３の制御ワード２０２には、前述のように、ハイパー・フレーム番号（ＨＦＮ）が設定されている。なお、ハイパー・フレームの先頭である第０番目のチップ２０３の制御ワード２０２に同期ワード（Sync  Word）として設定される'０ｘＢＣ５０'（Ｋ２８．５／Ｄ１６．２コード）は、ハイパー・フレーム同期検出用として、各ハイパー・フレームごとに（６６．６６６７μｓ周期で）挿入されている。また、他のハイパー・フレーム番号（ＨＦＮ）の同期ワード'０ｘＢＣ５０'（Ｋ２８．５／Ｄ１６．２コード）と混同しないようにするために、ハイパー・フレーム番号が'０ｘ０'（ＨＦＮ＝０ｘ０）のハイパー・フレームについては、該ハイパー・フレーム（ハイパー・フレーム番号ＨＦＮ＝０ｘ０）の同期コード'０ｘＢＣ５０'（Ｋ２８．５／Ｄ１６．２コード）を検出した際に、ＨＦＮ＝０ｘ０検出部４０４は１パルス（１０ｍｓ周期）を同期ワード検出パルスとして生成する。
【００４６】
ＨＦＮ＝０ｘ０検出部４０４にて、ハイパー・フレーム番号が'０ｘ０'（ＨＦＮ＝０ｘ０）のハイパー・フレームの同期ワード'０ｘＢＣ５０'（Ｋ２８．５／Ｄ１６．２コード）を検出して、同期ワード検出パルス（１０ｍｓ周期）が生成されると、次に、ＭＦ再生部４０５にて、外部から１０ｍｓ周期で無線フレーム同期用として送信されてくるパルスを、ＣＰＲＩフレームに同期した１０ｍｓ（＝１５０個／ハイパー・フレーム×６６．６６７μｓ）周期の"Ｈ"パルスとして再生して、再生した該"Ｈ"パルスを無線フレーム同期パルス（ＭＦパルス）として出力する（ステップＳ５０５）。
【００４７】
ＣＰＲＩフレームに同期した１０ｍｓ周期の無線フレーム同期パルス（ＭＦパルス）を再生すると、次に、ＣＰＲＩ受信フレームの先頭と再生された無線フレーム同期パルス（ＭＦパルス）との間には、あらかじめ定めた値の固定遅延量が存在しているので、無線フレームの先頭を確定するために、リタイミングを行う必要があり、同期窓部４０６にて、同期窓をオープンする（ステップＳ５０６）。つまり、同期窓部４０６は、同期窓の中に、同期ワード（Sync  Word）を示す'０ｘＢＣ５０'（Ｋ２８．５／Ｄ１６．２コード）が入力されてくることによって、無線フレームの先頭を確定することができ、リタイミングを行うことができる状態に設定する。
【００４８】
さらに、同期窓設定機能部４０７によって、同期窓の中に、同期ワード（Sync  Word）を示す'０ｘＢＣ５０'（Ｋ２８．５／Ｄ１６．２コード）が入力されるように、同期窓の位置の設定を行うことが可能な状態に設定する（ステップＳ５０７）。なお、同期窓の幅は、通信モードに応じてあらかじめ定めた固定幅であり、無線通信システムの通信モードが２．４Ｇｂ／ｓモードの場合には、＋６／−６［Samples］の幅を有し、４．９Ｇｂ／ｓモードの場合には、＋１２／−１２［Samples］の幅を有している。
【００４９】
このため、同期窓設定機能部４０７において２．４Ｇｂ／ｓモードと４．９Ｇｂ／ｓモードとの間で整合性を維持することができるように、２．４Ｇｂ／ｓモードの場合には、同期窓の設定用に用いる設定値１単位当たりを１サンプルとし、４．９Ｇｂ／ｓモードの場合には、同期窓の設定用に用いる設定値１単位当たりを２サンプルとして解釈するものとする。同期窓設定機能部４０７においては、無線フレーム同期パルス（ＭＦパルス）から、サンプル数＠ＭＦパルス幅（ＭＦパルス幅当たりのサンプル数のカウント値）だけ経過した時点を、同期窓の位置として設定することができる。
【００５０】
しかる後、ＭＦ〜０ｘＢＣ５０（Ｋ２８．５／Ｄ１６．２コード）（ＨＦＮ＝０ｘ０）間時間測定＆調整部４０８において、無線フレーム同期パルス（ＭＦパルス）からハイパー・フレーム番号が'０ｘ０'（ＨＦＮ＝０ｘ０）のハイパー・フレーム（ＣＰＲＩフレーム）の先頭に位置する制御ワード２０２（すなわち、同期ワード（Sync  Word）を示す'０ｘＢＣ５０'（Ｋ２８．５／Ｄ１６．２コード）を有する制御ワード）までの時間を測定する（ステップＳ５０８）。ここで、ハイパー・フレーム番号が'０ｘ０'（ＨＦＮ＝０ｘ０）のハイパー・フレーム（ＣＰＲＩフレーム）の先頭の制御ワード２０２の位置は、ステップＳ５０４においてＨＦＮ＝０ｘ０検出部４０４にて自動的に生成された同期ワード検出パルス（１０ｍｓ周期）によって容易に判別することができるので、ステップＳ５０８においては、前記時間を自動的にかつ容易に測定することができる。
【００５１】
さらに、ＭＦ〜０ｘＢＣ５０（Ｋ２８．５／Ｄ１６．２コード）（ＨＦＮ＝０ｘ０）間時間測定＆調整部４０８においては、測定した前記時間（無線フレーム同期パルス（ＭＦパルス）からハイパー・フレーム番号が'０ｘ０'（ＨＦＮ＝０ｘ０）のハイパー・フレーム（ＣＰＲＩフレーム）の先頭に位置する制御ワード２０２までの時間）を、サンプル数＠ＭＦパルス幅（ＭＰパルス幅を単位とするサンプル数のカウント値）に換算して、通信モードに応じた同期窓設定用の設定値を算出し、同期窓の設定位置を調整する。
【００５２】
なお、ＭＦ〜０ｘＢＣ５０（Ｋ２８．５／Ｄ１６．２コード）（ＨＦＮ＝０ｘ０）間時間測定＆調整部４０８における前記時間の具体的な測定方法としては、例えば、図６のタイムチャートに示すように、１０ｍｓ周期のＭＦパルス幅のカウンタ６０３を、ＭＦパルス６０１の立ち上がりによって起動して、ハイパー・フレーム番号が'０ｘ０'（ＨＦＮ＝０ｘ０）のハイパー・フレーム（ＣＰＲＩフレーム）の先頭に位置する制御ワード２０２（すなわち、同期ワード（Sync  Word）を示す'０ｘＢＣ５０'（Ｋ２８．５／Ｄ１６．２コード）を有する制御ワード）の位置においてＨＦＮ＝０ｘ０検出部４０４にて生成された１パルス（１０ｍｓ周期）、すなわち、ハイパー・フレーム番号が'０ｘ０'（ＨＦＮ＝０ｘ０）の同期ワードを検出したことを示す同期ワード検出パルス６０２までのサンプル数Ｘを計数することによって測定することができる。
【００５３】
図６は、無線フレーム同期パルス（ＭＦパルス）からハイパー・フレーム番号が'０ｘ０'（ＨＦＮ＝０ｘ０）のハイパー・フレーム（ＣＰＲＩフレーム）の先頭に同期ワード（Sync  Word）として位置する制御ワード２０２（すなわち、同期ワード（Sync  Word）を示す'０ｘＢＣ５０'（Ｋ２８．５／Ｄ１６．２コード）を有する制御ワード）までの時間を測定する測定方法の一例を説明するためのタイムチャートである。
【００５４】
しかる後、カウンタ６０３によりサンプル数Ｘを計数することによって測定されたＭＦ〜'０ｘＢＣ５０'（Ｋ２８．５／Ｄ１６．２コード）（ＨＦＮ＝０ｘ０）間の時間の位置を同期窓の最先端部の位置に合致するように調整する。例えば、図６に示すように、無線通信システムが２．４Ｇｂ／ｓモードの場合には、そのまま、同期窓の位置設定用の設定値６０４（設定値：Ｘ）として用いるとともに、同期窓の固定幅として、サンプル数の幅＋６／−６［Samples］を用いて、同期窓位置６０５を、同期ワード'０ｘＢＣ５０'（Ｋ２８．５／Ｄ１６．２コード）（ＨＦＮ＝０ｘ０）の制御ワード２０２の位置に、同期窓の'＋６'側（最先端部）の位置が合致するように、同期窓の位置の設定を調整する。
【００５５】
次に、図５のフローチャートに戻って、同期窓内０ｘＢＣ５０（Ｋ２８．５／Ｄ１６．２コード）（ＨＦＮ＝０ｘ０）検出部４０９により、ステップＳ５０８において位置を調整した同期窓内において、ハイパー・フレーム番号が'０ｘ０'（ＨＦＮ＝０ｘ０）のハイパー・フレーム（ＣＰＲＩフレーム）の先頭に位置する制御ワード２０２（すなわち、同期ワード（Sync  Word）を示す'０ｘＢＣ５０'（Ｋ２８．５／Ｄ１６．２コード））が検出されたか否かを確認する（ステップＳ５０９）。同期窓内において、ハイパー・フレーム番号が'０ｘ０'（ＨＦＮ＝０ｘ０）のハイパー・フレーム（ＣＰＲＩフレーム）の先頭に位置する制御ワード２０２の同期ワード'０ｘＢＣ５０'（Ｋ２８．５／Ｄ１６．２コード）が検出されない場合は（ステップＳ５０９の「未検出」の場合）、エラーとして、ステップＳ５０８に戻り、ハイパー・フレーム番号が'０ｘ０'（ＨＦＮ＝０ｘ０）のハイパー・フレーム（ＣＰＲＩフレーム）の先頭に位置する制御ワード２０２の同期ワード'０ｘＢＣ５０'（Ｋ２８．５／Ｄ１６．２コード）が検出されるまで、ＭＦ〜０ｘＢＣ５０（Ｋ２８．５／Ｄ１６．２コード）（ＨＦＮ＝０ｘ０）間時間測定＆調整部４０８による同期窓の設定調整動作を繰り返す。
【００５６】
同期窓内において、ハイパー・フレーム番号が'０ｘ０'（ＨＦＮ＝０ｘ０）のハイパー・フレーム（ＣＰＲＩフレーム）の先頭に位置する制御ワード２０２の同期ワード'０ｘＢＣ５０'（Ｋ２８．５／Ｄ１６．２コード）が検出された場合は（ステップＳ５０９の「検出」の場合）、ハイパー・フレーム番号が'０ｘ０'（ＨＦＮ＝０ｘ０）のハイパー・フレーム（ＣＰＲＩフレーム）の先頭に位置する制御ワード２０２の同期ワード'０ｘＢＣ５０'（Ｋ２８．５／Ｄ１６．２コード）が、同期窓の中心位置に入力されるように、同期窓中心設定部４１０にて同期窓の位置を設定する（ステップＳ５１０）。
【００５７】
つまり、無線通信システムが２．４Ｇｂ／ｓモードの場合には、＋６／−６［Samples］の固定幅の中心位置にハイパー・フレーム番号が'０ｘ０'（ＨＦＮ＝０ｘ０）のＣＰＲＩフレームの先頭に位置する制御ワード２０２の同期ワード'０ｘＢＣ５０'（Ｋ２８．５／Ｄ１６．２コード）が入力されてくるように、また、無線通信システムが４．９Ｇｂ／ｓモードの場合には、＋１２／−１２［Samples］の固定幅の中心位置にハイパー・フレーム番号が'０ｘ０'（ＨＦＮ＝０ｘ０）のＣＰＲＩフレームの先頭に位置する制御ワード２０２の同期ワード'０ｘＢＣ５０'（Ｋ２８．５／Ｄ１６．２コード）が入力されてくるように、同期窓の設定位置を調整する。
【００５８】
同期窓中心設定部４１０における同期窓の中心位置の具体的な設定方法としては、例えば、図７のタイムチャートに示すように、設定すれば良い。図７は、ハイパー・フレーム番号が'０ｘ０'（ＨＦＮ＝０ｘ０）のハイパー・フレーム（ＣＰＲＩフレーム）の先頭に同期ワード（Sync  Word）として位置する制御ワード２０２が、同期窓の中心位置に入力されるように、同期窓中心設定部４１０にて同期窓の位置を設定する方法の一例を説明するためのタイムチャートであり、無線通信システムが２．４Ｇｂ／ｓモードの場合について同期窓の中心位置の設定方法の一例を示している。
【００５９】
同期窓中心設定部４１０は、同期窓の固定幅の中心に、すなわち、２．４Ｇｂ／ｓモードにおいては、＋６／−６［Samples］の固定幅の中心に、４．９Ｇｂ／ｓモードにおいては、＋１２／−１２［Samples］の固定幅の中心に、ハイパー・フレーム番号が'０ｘ０'（ＨＦＮ＝０ｘ０）の先頭に位置する制御ワード２０２の同期ワード'０ｘＢＣ５０'（Ｋ２８．５／Ｄ１６．２コード）が入力されてくるように、同期窓の中心位置を調整している。このため、図７のタイムチャートに示すように、無線通信システムにおける通信モードに応じた全サンプルをスキャンして、同期窓から外れる上限同期窓の設定値および下限同期窓の設定値をまず算出することによって、制御ワード２０２の同期ワード'０ｘＢＣ５０'（Ｋ２８．５／Ｄ１６．２コード）が入力されるべき同期窓の中心位置を求める。
【００６０】
図７のタイムチャートにおいても、図６のタイムチャートにおいて説明したように、まず、１０ｍｓ周期のＭＦパルス幅のカウンタ６０３を、ＭＦパルス６０１の立ち上がりによって起動して、ハイパー・フレーム番号が'０ｘ０'（ＨＦＮ＝０ｘ０）のハイパー・フレーム（ＣＰＲＩフレーム）の先頭に位置する制御ワード２０２（すなわち、同期ワード（Sync  Word）を示す'０ｘＢＣ５０'（Ｋ２８．５／Ｄ１６．２コード）を有する制御ワード）の位置において生成された１パルス（１０ｍｓ周期）すなわち同期ワード検出パルス６０２までのサンプル数Ｘを計数する。
【００６１】
次いで、無線通信システムが２．４Ｇｂ／ｓモードの場合には、計数したサンプル数Ｘを、そのまま、同期窓の下限位置の設定値となる下限設定値７０１（設定値：Ｘ）として用いるとともに、同期窓の固定幅として、サンプル数の幅＋６／−６［Samples］を用いて、同期ワード'０ｘＢＣ５０'（Ｋ２８．５／Ｄ１６．２コード）（ＨＦＮ＝０ｘ０）の制御ワード２０２の位置に、同期窓の'＋６'側（最先端部）の位置が合致するように、下限同期窓位置７０２を設定する。さらに、２．４Ｇｂ／ｓモードの場合における同期窓の固定幅'１２'を、サンプル数Ｘに加算した値（Ｘ＋１２）を、同期窓の上限位置の設定値となる上限設定値７０３（設定値：Ｘ＋１２）として用いるとともに、同期ワード'０ｘＢＣ５０'（Ｋ２８．５／Ｄ１６．２コード）（ＨＦＮ＝０ｘ０）の制御ワード２０２の位置に、同期窓の−６側（最後端部）の位置が合致し、'０ｘＢＣ５０'（Ｋ２８．５／Ｄ１６．２コード）（ＨＦＮ＝０ｘ０）の制御ワード２０２の位置から'＋１２'離れた位置に、同期窓の'＋６'側（最先端部）が位置するように、上限同期窓位置７０４を設定する。
【００６２】
しかる後、図７のタイムチャートに示すように、先に求めた下限設定値７０１と上限設定値７０３との算術平均｛Ｘ＋（Ｘ＋１２）｝／２を求め、中心設定値７０５として設定することによって、同期窓の固定幅の中心位置に、同期ワード'０ｘＢＣ５０'（Ｋ２８．５／Ｄ１６．２コード）（ＨＦＮ＝０ｘ０）の制御ワード２０２が入力されるように調整する。この結果、同期ワード'０ｘＢＣ５０'（Ｋ２８．５／Ｄ１６．２コード）（ＨＦＮ＝０ｘ０）の制御ワード２０２の位置に、中心設定値７０５として求めた算術平均｛Ｘ＋（Ｘ＋１２）｝／２の位置すなわち同期窓の'０'（中心）の位置が合致し、中心設定値７０５として求めた算術平均｛Ｘ＋（Ｘ＋１２）｝／２の位置言い換えれば同期ワード'０ｘＢＣ５０'（Ｋ２８．５／Ｄ１６．２コード）（ＨＦＮ＝０ｘ０）の制御ワード２０２の位置から'＋６'および'−６'離れた位置に、同期窓の'＋６'側（最先端部）および'−６'側（最後端部）がそれぞれ位置するように、中心同期窓位置７０６を設定する。
【００６３】
以上のような動作を行うことにより、ＲＥＣ１０１とＲＥ１０２との間の信号の同期が確立したことを検出した際に、自動的に、ＲＥＣ１０１側の同期窓を最も望ましい位置に調整して設定することが可能になる。
【００６４】
なお、以上の実施形態の説明においては、ＣＰＲＩ技術を利用した場合について説明しているが、本発明は、かかる場合のみに限るものではない。すなわち、本発明は、フレーム同期を必要とするシステムであれば、如何なる技術からなっている無線通信システムであっても、適用することが可能であることは言うまでもない。
【００６５】
（実施形態の効果の説明）
以上に詳細に説明したように、本実施形態においては次のような効果が得られる。
【００６６】
ＲＥＣ１０１−ＲＥ１０２間のＣＰＲＩ同期さえ取れている状態になっていれば、ＲＥＣ１０１側の同期窓の設定まで自動的に実施されるので、たとえ、ＲＥ１０２側の回路が変わったとしても、手動によって、同期窓の設定に関する時間関係の測定や同期窓の設定位置の調整を実施する必要がない。
【００６７】
すなわち、無線フレーム同期パルス（ＭＦパルス）からハイパー・フレーム番号が'０ｘ０'（ＨＦＮ＝０ｘ０）のハイパー・フレーム（ＣＰＲＩフレーム）の先頭に同期ワードとして位置する制御ワード２０２（ＨＦＮ＝０ｘ０のハイパー・フレームにおいて'０ｘＢＣ５０'（Ｋ２８．５／Ｄ１６．２コード）を有する制御ワード）までの時間測定を、ハードウェア的に自動的に実施することができるので、ＲＥＣ１０１内の受信側回路にて、ロジックアナライザによってモニタしながら手動で測定する必要がない。
【００６８】
また、時間測定結果からサンプル数＠ＭＦパルス幅（ＭＦパルス幅当たりのサンプル数のカウント値）を割り出して、同期窓の位置をハードウェア的に自動的に設定することができるので、ＣＰＵ（Central  Processing  Unit）に接続された入力装置等を人手により操作して、同期窓の位置を設定・調整する必要もない。
【００６９】
さらに、ハイパー・フレーム番号が'０ｘ０'（ＨＦＮ＝０ｘ０）のハイパー・フレーム（ＣＰＲＩフレーム）の先頭に同期ワードとして位置する制御ワード２０２（ＨＦＮ＝０ｘ０のハイパー・フレームにおいて'０ｘＢＣ５０'（Ｋ２８．５／Ｄ１６．２コードを有する制御ワード）が同期窓に入力可能な状態になった際に、該同期ワードが同期窓の固定幅の中心位置入力されるようにハードウェア的に自動的に設定することができるので、ＣＰＵに接続された入力装置等を人手により操作して、パラメータ振りして、同期窓の設定位置の上限値、下限値を求め、求めた上限値、下限値から中心位置を人手によって見つけ出す必要もない。
【００７０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００７１】
１０１      無線制御装置（ＲＥＣ）
１０２      無線装置（ＲＥ）
１０３      ＣＰＲＩインタフェース
１０４      シリアル・パラレル相互変換部（SerDes部）
１０５      各種機能部
２０１      ＣＰＲＩフレーム
２０２      制御ワード（Control  Word）
２０３      チップ（chip）
２０４      ハイパー・フレーム（Hyper  Frame）
３０１      フレーム制御ワード
３０２      ハイパー・フレーム番号（ＨＦＮ）
３０３      同期ワード（Sync  Word）
４０１      ＣＰＲＩフレーム同期検出部
４０２      ＨＦＮスキャン部
４０３      ＨＦＮ異常検出部
４０４      ＨＦＮ＝０ｘ０検出部
４０５      ＭＦ再生部
４０６      同期窓部
４０７      同期窓設定機能部
４０８      ＭＦ〜０ｘＢＣ５０（ＨＦＮ＝０ｘ０）間時間測定＆調整部
４０９      同期窓内０ｘＢＣ５０（ＨＦＮ＝０ｘ０）検出部
４１０      同期窓中心設定部
６０１      ＭＦパルス
６０２      同期ワード検出パルス
６０３      カウンタ
６０４      設定値
６０５      同期窓位置
７０１      下限設定値
７０２      下限同期窓位置
７０３      上限設定値
７０４      上限同期窓位置
７０５      中心設定値
７０６      中心同期窓位置
【図１】
2014096633.tif 000003
【図２】
2014096633.tif 000004
【図３】
2014096633.tif 000005
【図４】
2014096633.tif 000006
【図５】
2014096633.tif 000007
【図６】
2014096633.tif 000008
【図７】
2014096633.tif 000009